(57)【要約】【課題】テレビ放送受信システムにおいて、安価なブースタを用いて衛星放送信号を受信するときのみに衛星放送信号受信用アンテナに駆動電力が供給されるようにし、安価に省電力化させる。【解決手段】ブースタ１は、衛星放送信号受信用アンテナ２が接続され、衛星放送信号が入力される第１入出力端子１ａと、衛星放送信号を増幅する増幅部１ｄと、増幅された衛星放送信号をチューナ５に出力する第２入出力端子１ｃと、第１入出力端子１ａと第２入出力端子１ｃとを接続する電力供給経路１ｇとを備えている。チューナ５は衛星放送信号を受信しようとするとき駆動電力を出力する。駆動電力は、第２入出力端子１ｃから電力供給経路１ｇを経由して第１入出力端子１ａから衛星放送信号受信用アンテナ２に供給される。チューナ５が衛星放送信号を受信しようとしないときには駆動電力が供給されず、テレビ放送受信システムが省電力化される。【選択図】図１
2007036631.tif 000002
【特許請求の範囲】
【請求項１】
衛星放送信号受信用アンテナが接続され、この衛星放送信号受信用アンテナから衛星放送信号が入力されると共に、前記衛星放送信号受信用アンテナに対して駆動電力を出力するための第１入出力端子と、
前記第１入出力端子から入力される衛星放送信号を増幅する増幅部と、
前記増幅部に電力を供給する電源部と、
チューナ又は分配器が接続され、前記チューナから直接又は前記分配器を介して前記衛星放送信号受信用アンテナの駆動電力が入力されると共に、前記増幅部により増幅された衛星放送信号を前記チューナに出力するための第２入出力端子と、
前記第１入出力端子と前記第２入出力端子を、前記増幅部を介さずに接続し、前記第２入出力端子に直接又は分配器を介して接続されたいずれかのチューナから前記駆動電力が入力されたときにのみ、前記第１入出力端子から前記衛星放送信号受信用アンテナに対してその駆動電力を出力する電力供給経路とを備えたブースタ。
【請求項２】
前記電源部は前記衛星放送信号受信用アンテナの駆動電力を供給可能であり、
前記電力供給経路と前記電源部の間に切替スイッチがさらに設けられており、
前記切替スイッチが前記電源部側に切り替えられているときは、前記電源部から、前記衛星放送信号受信用アンテナに対して駆動電力を常時出力することを特徴とする請求項１に記載のブースタ。
【請求項３】
地上波放送信号受信用アンテナが接続される入力端子と、
この入力端子から入力された地上波放送信号と前記衛星放送信号とを混合して出力することが可能な混合部とをさらに備えたことを特徴とする請求項１又は請求項２に記載のブースタ。
【請求項４】
衛星放送信号を受信するときにのみ衛星放送信号受信用アンテナの駆動電力を出力するチューナと、請求項１乃至３のいずれかに記載のブースタで構成され、衛星放送信号を受信しない場合には、衛星放送信号受信用アンテナに駆動電力を供給しないことにより省電力化を可能とするテレビ放送受信システム。
【発明の詳細な説明】
【技術分野】
【０００１】
本発明は、衛星放送信号受信用アンテナで受信された衛星放送信号を増幅させるブースタ及びそのブースタを用いたテレビ放送受信システムに関する。
【背景技術】
【０００２】
従来、テレビ放送として、放送衛星や通信衛星を用いて衛星放送が行われている。このような衛星放送を受信して視聴する場合には、衛星から送信される電波を受信するための衛星放送信号受信用アンテナを用いる必要がある。この衛星放送信号受信用アンテナは、外部から駆動電力が供給されて動作する。一般に、駆動電力は、衛星放送信号受信用アンテナに接続されたチューナから供給されたり、また、衛星放送信号受信用アンテナにブースタが接続されている場合には、このブースタから供給されたりする。
【０００３】
図４は、衛星放送を視聴するための従来のテレビ放送受信システムの一例を示す。このテレビ放送受信システムは、衛星放送と地上波放送とを視聴するためのものであり、ブースタ８１と、ブースタ８１に接続される衛星放送信号受信用アンテナ８２及び地上波放送信号受信用アンテナ（図示せず）と、分配器８３と、分配器８３に接続される２つのＴＶコンセント８４と、ＴＶコンセント８４にそれぞれ接続されるチューナ８５とを備えている。
【０００４】
ブースタ８１は、衛星放送信号受信用アンテナ８２及び地上波放送信号受信用アンテナにそれぞれ接続される、２つの増幅部８１ｄと、これらの増幅部８１ｄによりそれぞれ増幅される衛星放送信号と地上波放送信号を１つの信号に混合して出力する混合部８１ｅと、外部の商用電源に接続されており、増幅部８１ｄに駆動電力を供給する電源部８１ｆとを有している。一般に、衛星放送を多箇所で視聴する場合には、衛星放送信号を分配器８３で分配するときに分配ロスが生じたり、配線ロスが生じたりする。このテレビ放送受信システムでは、ブースタ８１を用いて衛星放送信号受信用アンテナ８２で受信された衛星放送信号のレベルを上げることにより、上述のように分配ロスや配線ロスが生じても衛星放送や地上波放送を視聴することができるようにしている。
【０００５】
ここで、このようなテレビ放送受信システムでは、衛星放送信号受信用アンテナ８２は、ブースタ８１の電源部８１ｆから例えばＤＣ１５Ｖの駆動電力が供給されることにより動作している。ブースタ８１には、図に示すように、電源部８１ｆから衛星放送信号受信用アンテナ８２へ駆動電力を出力するための電力供給経路８１ｇが設けられている。この電力供給経路８１ｇの途中にはスイッチ８１ｈが設けられており、スイッチ８１ｈは、衛星放送信号受信用アンテナ８２がブースタ８１に接続されるときには、通常はオン状態とされている。これにより、スイッチ８１ｈがオンのとき、衛星放送信号受信用アンテナ８２に電源部８１ｆから駆動電力が常時供給されて、この衛星放送信号受信用アンテナ８２が駆動される。
【０００６】
しかしながら、上述のようなテレビ放送受信システムにおいては、一般に、スイッチ８１ｈはブースタ８１及び衛星放送信号受信用アンテナ８２が設置されたときにオンされ、ユーザがオフすることは困難である。そのため、ブースタ８１の電源部８１ｆから衛星放送信号受信用アンテナ８２に駆動電力が常時供給される。すなわち、このテレビ放送受信システムでは、衛星放送を視聴していない場合でも、衛星放送信号受信用アンテナ８２では駆動電力として余分な電力が消費されており、経済的ではない。
【０００７】
上述のように余分な電力を消費しないようにしたブースタ８１としては、例えば、接続されたチューナ８５のうち電源オンのものがあるかどうか検出する直流電圧検出回路を備えたものが知られている（例えば、特許文献１参照）。直流電圧検出回路は、電源オンの状態のチューナ８５から出力される直流電圧を検出する。そして、接続されているチューナ８５の中で電源オンであるものがあるときにのみ、ブースタ８１の電源部８１ｆが衛星放送信号受信用アンテナ８２と増幅部８１ｄに駆動電力を供給することにより、省電力化を図る。しかしながら、このブースタ８１は、チューナ８５のうち電源オンのものがあるかどうか検出するために直流電圧検出回路を必要とするため、ブースタ８１の内部構造が複雑となり、ブースタ８１の製造コストが高くなってしまうという問題があった。
【特許文献１】特開２００３−２８３３５１号公報
【発明の開示】
【発明が解決しようとする課題】
【０００８】
本発明は、上記問題点を鑑みてなされたものであり、ブースタが、チューナから衛星放送信号受信用アンテナの駆動電力が入力されたときに、この駆動電力を衛星放送信号受信用アンテナに出力することができるようにし、衛星放送を視聴するときにのみ衛星放送信号受信用アンテナで駆動電力が消費されて省電力化させることが可能であり、ブースタの構造が単純であり安価に構成することができるテレビ放送受信システムを提供することを目的とする。
【課題を解決するための手段】
【０００９】
上記目的を達成するため請求項１の発明は、衛星放送信号受信用アンテナが接続され、この衛星放送信号受信用アンテナから衛星放送信号が入力されると共に、前記衛星放送信号受信用アンテナに対して駆動電力を出力するための第１入出力端子と、前記第１入出力端子から入力される衛星放送信号を増幅する増幅部と、前記増幅部に電力を供給する電源部と、チューナ又は分配器が接続され、前記チューナから直接又は前記分配器を介して前記衛星放送信号受信用アンテナの駆動電力が入力されると共に、前記増幅部により増幅された衛星放送信号を前記チューナに出力するための第２入出力端子と、前記第１入出力端子と前記第２入出力端子を、前記増幅部を介さずに接続し、前記第２入出力端子に直接又は分配器を介して接続されたいずれかのチューナから前記駆動電力が入力されたときにのみ、前記第１入出力端子から前記衛星放送信号受信用アンテナに対してその駆動電力を出力する電力供給経路とを備えたものである。
【００１０】
請求項２の発明は、請求項１の発明において、前記電源部は前記衛星放送信号受信用アンテナの駆動電力を供給可能であり、前記電力供給経路と前記電源部の間に切替スイッチがさらに設けられており、前記切替スイッチが前記電源部側に切り替えられているときは、前記電源部から、前記衛星放送信号受信用アンテナに対して駆動電力を常時出力するものである。
【００１１】
請求項３の発明は、請求項１又は請求項２の発明において、地上波放送信号受信用アンテナが接続される入力端子と、この入力端子から入力された地上波放送信号と前記衛星放送信号とを混合して出力することが可能な混合部とをさらに備えたものである。
【００１２】
請求項４の発明は、衛星放送信号を受信するときにのみ衛星放送信号受信用アンテナの駆動電力を出力するチューナと、請求項１乃至３のいずれかに記載のブースタで構成され、衛星放送信号を受信しない場合には、衛星放送信号受信用アンテナに駆動電力を供給しないことにより省電力化を可能とするものである。
【発明の効果】
【００１３】
請求項１の発明によれば、ブースタは、第１入出力端子と第２入出力端子とが電力供給経路により接続されており、第２入出力端子に接続されたチューナから駆動電力が入力されたとき、この駆動電力が電力供給経路を経由して第１入出力端子から衛星放送信号受信用アンテナに対して出力されるので、チューナが衛星放送信号を受信するときにのみ駆動電力が衛星放送信号受信用アンテナで消費される。従って、ブースタが単純な構成のままで、駆動電力の浪費を防ぐことが可能となり、テレビ放送受信システムを省電力化させることが安価に可能となる。
【００１４】
請求項２の発明によれば、切替スイッチが切り替えられているときには、電源部から衛星放送信号受信用アンテナに対して駆動電力が常時出力されるので、ブースタに接続されるチューナとブースタの間に設置されるＴＶコンセントなどのテレビ配線器具が電流非通過形である場合でも、衛星放送信号受信用アンテナを駆動させて衛星放送信号を受信させることができる。従って、チューナがブースタへ駆動電力を供給可能であるときにはテレビ放送受信システムを省電力化させることが可能なブースタを、より多様な構成のテレビ放送受信システムに用いることが可能となる。
【００１５】
請求項３の発明によれば、ブースタが、地上波放送受信用アンテナが接続される入力端子と、衛星放送信号と地上波放送信号とを混合して出力することが可能な混合部とを備えているので、１つのブースタにより地上波放送と衛星放送を共に視聴することができる。従って、地上波放送と衛星放送を視聴するテレビ放送受信システムの配線をより単純なものとすることが可能となり、また、上述のようにテレビ放送受信システムを省電力化することが可能となる。
【００１６】
請求項４の発明によれば、チューナが衛星放送信号を受信しない場合には駆動電力を出力せず、衛星放送信号受信用アンテナに駆動電力が供給されないので、テレビ放送受信システムを安価に省電力化することが可能となり、経済的にすることが可能となる。
【発明を実施するための最良の形態】
【００１７】
以下、本発明の第１の実施形態について図面を参照して説明する。図１は、本実施形態に係るブースタを用いたテレビ放送受信システムの構成を示す。このテレビ放送受信システムは、衛星放送信号及び地上波放送信号（以下、放送信号と称する）を受信して視聴するためのものであり、ブースタ１と、このブースタ１に接続される衛星放送信号受信用アンテナ２及び地上波放送信号受信用アンテナ（図示せず）と、このブースタ１に接続されるコネクタである２つのＴＶコンセント４と、これらのＴＶコンセント４にそれぞれ接続される２つのチューナ５とを備えている。
【００１８】
ブースタ１は、衛星放送信号受信用アンテナ２が接続される第１入出力端子１ａと、地上波放送信号受信用アンテナが接続される入力端子１ｂと、ＴＶコンセント４を介してチューナ５が接続される２つの第２入出力端子１ｃとを有している。ブースタ１の内部には、第１入出力端子１ａと入力端子１ｂにそれぞれ対応するように設けられ、第１入出力端子１ａから入力される衛星放送信号と入力端子１ｂから入力される地上波放送信号を増幅させる増幅部１ｄと、増幅部１ｄで増幅された衛星放送信号と地上波放送信号を各第２入出力端子１ｃに混合して出力する混合／分配部（混合部）１ｅと、例えば外部の商用電源と接続され、増幅部１ｄに電力を供給する電源部１ｆとが備えられている。第１入出力端子１ａと増幅部１ｄとの間の経路及び混合／分配部１ｅと各第２入出力端子１ｃとの間の２つの経路には、例えばコンデンサ等の、直流電流をカットするためのフィルタ１ｉがそれぞれ挿入されている。また、図に示すように、第１入出力端子１ａと、各第２入出力端子１ｃとは、電力供給経路１ｇを介して接続されている。この電力供給経路１ｇには、例えばコイル等、放送信号をカットするためのフィルタ１ｊが挿入されている。
【００１９】
衛星放送信号受信用アンテナ２は、外部から駆動電力が供給されることで動作し、放送衛星や通信衛星から送信される衛星放送信号の電波を受信する。本実施形態において、衛星放送信号受信用アンテナ２の駆動電力は、後述のようにブースタ１から供給される。一方、地上波放送信号受信用アンテナは、駆動電力が供給されなくても、地上波放送信号の電波を受信可能なものである。
【００２０】
ＴＶコンセント４は、第２入出力端子１ｃ及びチューナ５と例えば同軸ケーブル等により接続されており、ブースタ１から出力される放送信号をチューナ５へと伝送する。なお、このＴＶコンセント４は、チューナ５からブースタ１へ向けて電流を通過させる電流通過形のものであり、後述のようにチューナ５から供給される駆動電力をブースタ１に通過させる。
【００２１】
チューナ５は、ブースタ１からＴＶコンセント４を介して送信される放送信号が入力されて衛星放送及び地上波放送を受信するものである。チューナ５は、衛星放送を受信しようとする直前に、衛星放送信号受信用アンテナ２を駆動させるための直流電力である駆動電力をブースタ１に向けて送信する機能を有している。この駆動電力としては、例えばｄＤＣ１５Ｖ程度の電力が用いられるが、これに限られるものではない。
【００２２】
以下に、このテレビ放送受信システムの動作を説明する。チューナ５が、衛星放送信号を受信しようとしていないとき、衛星放送信号受信用アンテナ２には駆動電力は供給されていない状態である。この状態では、チューナ５は地上波放送信号受信用アンテナで受信される地上波放送信号を受信することが可能である。チューナ５は、衛星放送信号を受信しようとすると、衛星放送信号受信用アンテナ２の駆動電力をブースタ１に向け出力する。この駆動電力は、ＴＶコンセント４を介して第２入出力端子１ｃからブースタ１に入力される。そして、駆動電力は、第２入出力端子１ｃから電力供給経路１ｇを経由し、第１入出力端子１ａから衛星放送信号受信用アンテナ２に向け出力される。このように衛星放送信号受信用アンテナ２に駆動電力が供給されることで、衛星放送信号受信用アンテナ２は衛星放送信号を受信可能となる。
【００２３】
衛星放送信号受信用アンテナ２が受信する衛星放送信号は、第１入出力端子１ａよりブースタ１に入力される。また、地上波放送信号受信用アンテナが受信する地上波放送信号は、入力端子１ｂよりブースタ１に入力される。ブースタ１に入力されたこれらの放送信号は、増幅部１ｄで増幅された後、混合／分配部１ｅに入力される。これらの放送信号は、混合／分配部１ｅで混合されて一つの放送信号にされた後、２系統に分配され、各第２入出力端子１ｃに出力される。そして、放送信号が第２入出力端子１ｃからＴＶコンセント４を介してチューナ５に入力され、チューナ５は、衛星放送を受信して視聴することが可能となる。チューナ５が衛星放送の受信を中止すると、衛星放送信号受信用アンテナ２の駆動電力がチューナ５から出力されなくなり、衛星放送信号受信用アンテナ２が駆動されなくなる。なお、本実施形態では、２つのうち一方のチューナ５が衛星放送信号を受信しているときには、ブースタ１から他方のチューナ５にも衛星放送信号及び地上波放送信号が入力されているので、この他方のチューナ５で衛星放送又は地上波放送が受信可能となる。
【００２４】
このように、このテレビ放送受信システムでは、チューナ５が衛星放送信号を受信するときにのみ駆動電力が衛星放送信号受信用アンテナ２で消費される。従って、ブースタ１が単純な構成のままで、駆動電力の浪費を防ぐことが可能となり、テレビ放送受信システムを省電力化させることが安価に可能となる。また、１つのブースタ１により、地上波放送と衛星放送を共に視聴することができるので、地上波放送と衛星放送を視聴するテレビ放送受信システムの配線をより単純なものにすることが可能となる。
【００２５】
図２は、本発明の第２の実施形態に係るブースタを用いたテレビ放送受信システムの構成を示す。以下の実施形態において、上述の第１の実施形態と同様のものは同一の符号を付し、上述の第１の実施形態と相違する部分についてのみ説明する。このテレビ放送受信システムは、ブースタ２１及び複数のチューナ５が接続される分配器３を有している点が上述の第１の実施形態と異なっている。分配器３には、２つのチューナ５がそれぞれＴＶコンセント４を介して接続されている。この分配器３は、チューナ５が接続された端子からブースタ２１の第２入出力端子１ｃに向けてチューナ５からの駆動電力を通過させるような、全端子電流通過形のものである。
【００２６】
ブースタ２１は、第２入出力端子１ｃを１つだけ有しており、この第２入出力端子１ｃに分配器３が接続されている。このブースタ２１は、上述の第１の実施形態の混合／分配部１ｅと替えて、衛星放送信号と地上波放送信号を混合して１つの放送信号とする混合部２１ｅを有している。ブースタ２１に衛星放送信号受信用アンテナ２及び地上波放送信号受信用アンテナからそれぞれ入力される放送信号は、増幅部１ｄで増幅された後、混合部２１ｅで混合され、第２入出力端子１ｃを介して分配器３に出力される。分配器３では、この放送信号を２系統に分配し、それぞれＴＶコンセント４を介して各チューナ５に出力する。
【００２７】
第２の実施形態においても、衛星放送信号受信用アンテナ２の駆動電力は、チューナ５から衛星放送信号を受信しようとする直前に出力される。この駆動電力は、分配器３を通過してブースタ２１内の電力供給経路１ｇを経由し、衛星放送信号受信用アンテナ２に出力される。このように、第２の実施形態においても、第１の実施形態と同様に、チューナ５が衛星放送信号を受信するときにのみ駆動電力が衛星放送信号受信用アンテナ２で消費され、テレビ放送受信システムを省電力化させることが安価に可能となる。また、第２の実施形態においては、テレビ放送受信システムを構成するチューナ５の数にあわせて、接続できるチューナ５の数が異なる分配器３を用意すればよいため、ブースタ２１として第２入出力端子１ｃの数が異なる複数種類のものを用意する必要がなくなる。従って、ブースタ２１の製造コストをさらに低減させることが可能となる。
【００２８】
図３は、本発明の第３の実施形態に係るテレビ放送受信システムを示す。このテレビ放送受信システムのブースタ３１は、第１の実施形態のブースタ１において、衛星放送信号受信用アンテナ２の駆動電力をチューナ５から供給可能とするか、電源部１ｆから供給可能とするかを切り替える切替スイッチ３１ｈを設けたものである。
【００２９】
ブースタ３１は、上述の第１の実施形態の電力供給経路１ｇに替えて、切替スイッチ３１ｈが挿入された電力供給経路３１ｇを有している。切替スイッチ３１ｈは、電源部１ｆに接続されており、切替スイッチ３１ｈを電源部１ｆ側に切り替えることにより、電源部１ｆと第１入出力端子１ａが接続されるように構成されている。なお、第３の実施形態において、電源部１ｆは、衛星放送信号受信用アンテナ２の駆動電力を供給可能なものである。
【００３０】
このテレビ放送受信システムは、ブースタ３１の切替スイッチ３１ｈが第１入出力端子１ａと第２入出力端子１ｃを接続するように設定されているときには、第１の実施形態と同様に動作する。すなわち、チューナ５が衛星放送信号を受信するときにのみ駆動電力が衛星放送信号受信用アンテナ２で消費され、テレビ放送受信システムを省電力化させることが可能となる。一方、切替スイッチ３１ｈが電源部３１側に切り替えられているときには、電源部１ｆから衛星放送信号受信用アンテナ２に対して駆動電力が常時出力され、チューナ５が衛星放送信号を受信可能となる。このとき、例えばチューナ５とブースタ３１の間に設置されるＴＶコンセント４等のテレビ配線器具が電流非通過形であり、駆動電力がチューナ５からブースタ３１に入力されていなくても、衛星放送信号が受信可能となる。従って、チューナ５が駆動電力を供給可能であるときにはテレビ放送受信システムを省電力化させることが可能な安価なブースタ３１を、より多様な構成のテレビ放送受信システムに用いることが可能となる。
【００３１】
なお、本発明は上記実施形態の構成に限定されるものではなく、発明の趣旨を変更しない範囲で適宜に種々の変形が可能である。例えば、ブースタ１は、衛星放送信号と地上波放送信号とに対応するものではなく、衛星放送信号のみを増幅させるようなものでもよい。ブースタ１が、衛星放送信号のみが入力されるようなものである場合には、混合／分配部１ｅは設けられなくてもよく、ブースタ１の第２入出力端子１ｃが複数のときに各第２入出力端子１ｃに衛星放送信号を分配するような分配部を有していればよい。このようなときにも、チューナ５から出力される駆動電力が電力供給経路１ｇを経由して衛星放送信号受信用アンテナ２に供給されるようにブースタ１を構成することにより、上述と同様に、テレビ放送受信システムを省電力化させることが安価に可能となる。
【図面の簡単な説明】
【００３２】
【図１】本発明の第１の実施形態に係るテレビ放送受信システムの構成を示す図。
【図２】本発明の第２の実施形態に係るテレビ放送受信システムの構成を示す図。
【図３】本発明の第３の実施形態に係るテレビ放送受信システムの構成を示す図。
【図４】従来のテレビ放送受信システムの一例の構成を示す図。
【符号の説明】
【００３３】
１，２１，３１  ブースタ
１ａ  第１入出力端子
１ｂ  入力端子
１ｃ  第２入出力端子
１ｄ  増幅部
１ｅ  混合／分配部（混合部）
１ｆ  電源部
１ｇ，３１ｇ  電力供給経路
１ｈ  スイッチ
２  衛星放送信号受信用アンテナ
３  分配器
４  ＴＶコンセント
５  チューナ
２１ｅ  混合部
３１ｈ  切替スイッチ
【図１】
2007036631.tif 000003
【図２】
2007036631.tif 000004
【図３】
2007036631.tif 000005
【図４】
2007036631.tif 000006